(57)【特許請求の範囲】
【請求項１】
過去の本スキャンによって生成された撮像画像としての過去画像を取得する過去画像取得部と、
前記過去の本スキャンにおける撮像条件を取得する撮像条件取得部と、
前記過去画像の対象の被検体に対してスキャンを実行して、位置決めのための位置決め親画像を生成する位置決め親画像生成部と、
前記位置決め親画像を基に、子画像用の関心領域を設定する子画像用関心領域設定部と、
前記被検体に対して、前記撮像条件及び前記子画像用関心領域に従ってスキャンを実行して、撮像画像としての子画像を生成する子画像生成部と、
前記過去画像及び前記子画像の同一画面上への表示を制御する表示制御部と、
前記表示制御部によって表示される前記子画像の移動内容の入力を制御する入力制御部と、
前記入力制御部によって入力される前記移動内容による移動後の子画像用関心領域を本画像用関心領域として設定する本画像用関心領域設定部と、
前記被検体に対して、前記撮像条件及び前記本画像用関心領域に従って本スキャンを実行して、本画像を生成する本画像生成部と、
を有することを特徴とする磁気共鳴イメージング装置。
【請求項２】
前記子画像用関心領域設定部によって設定される前記子画像用関心領域と、前記入力制御部によって入力される前記移動内容とを基に、前記本画像生成部によって生成される前記本画像に対応する親画像を生成する親画像生成部をさらに有することを特徴とする請求項１に記載の磁気共鳴イメージング装置。
【請求項３】
前記表示制御部は、前記過去画像取得部によって取得される前記過去画像と、前記入力制御部によって入力される前記移動内容による移動後の子画像との同一画面上への表示を制御する構成とすることを特徴とする請求項１に記載の磁気共鳴イメージング装置。
【請求項４】
前記表示制御部は、前記子画像又は前記移動内容による移動後の子画像のデータを付帯するプレーンの手前面に、前記過去画像のデータを付帯し透明度の変更処理が施されるプレーンを重ねるように表示を制御する構成とすることを特徴とする請求項１及び３のうちいずれか一項に記載の磁気共鳴イメージング装置。
【請求項５】
前記過去画像のデータを付帯するプレーンの表示／非表示を選択可能な構成とすることを特徴とする請求項４に記載の磁気共鳴イメージング装置。
【請求項６】
前記入力制御部は、前記移動内容を、前記子画像のスライド移動及び回転移動のうち少なくとも一方とする構成とすることを特徴とする請求項１に記載の磁気共鳴イメージング装置。
【請求項７】
前記本画像生成部は、前記本画像用関心領域を同一検査内の複数のパルスシーケンスに適用することで前記本画像を生成する構成とすることを特徴とする請求項１に記載の磁気共鳴イメージング装置。
【請求項８】
前記過去画像取得部は、前記被検体に係る複数スライスの複数の過去画像を取得し、前記子画像用関心領域設定部は、前記被検体に関する複数スライスの複数の子画像用関心領域を設定する構成とすることを特徴とする請求項１に記載の磁気共鳴イメージング装置。
【請求項９】
前記過去画像取得部によって取得される前記複数の過去画像から前記過去画像を選択すると共に、前記子画像用関心領域設定部によって設定される複数の子画像用関心領域から前記子画像用関心領域を選択する画像選択部をさらに有することを特徴とする請求項８に記載の磁気共鳴イメージング装置。
【請求項１０】
前記画像選択部は、前記撮像条件に含まれる枚数情報を基に、同一序列の前記過去画像及び前記子画像用関心領域を選択する構成とすることを特徴とする請求項９に記載の磁気共鳴イメージング装置。
【発明の詳細な説明】
【技術分野】
【０００１】
本発明は、同一患者の同一被検体を異なる時間に撮像して被検体の経過観察を行なうために過去の撮像と同一の撮像条件で撮像を行なう磁気共鳴イメージング装置に関する。
【背景技術】
【０００２】
磁気共鳴イメージング（ＭＲＩ：ｍａｇｎｅｔｉｃ  ｒｅｓｏｎａｎｃｅ  ｉｍａｇｉｎｇ）は、静磁場中に置かれた被検体の原子核スピンをそのラーモア周波数の高周波信号で磁気的に励起し、この励起に伴って発生するＭＲ信号から画像を再構成する撮像法である。
【０００３】
従来、ＭＲＩ装置を用いた撮像における位置決めには、位置決め用の基準画像上に位置決め用ＲＯＩ（ｒｅｇｉｏｎ  ｏｆ  ｉｎｔｅｒｅｓｔ）を設定することにより、次の撮像位置を設定する方法が知られている。同一患者の同一被検体を異なる時間に撮像して被検体の経過観察を行なうために過去の撮像と同一の撮像条件で今回の撮像を行なう場合、過去に撮像された過去画像とその際に設定したＲＯＩ情報とを参照し、オペレータが目視により同一と思われる位置に位置決め用ＲＯＩを設定する方法があった。
【０００４】
本発明に関連する従来技術として、以下のような文献が開示されている。
【特許文献１】特開平６−１８９９３５号公報
【発明の開示】
【発明が解決しようとする課題】
【０００５】
しかしながら、同一患者の同一被検体を異なる時間に撮像して被検体の経過観察を行なうために過去の撮像と同一の撮像条件で今回の撮像を行なう場合の従来技術による位置決めでは、位置決め用ＲＯＩの設定をオペレータが目視で行なうため、過去画像に対して正確に位置を合わせることが困難であった。また、過去と今回との間で撮像時に患者の固定角度等が異なる場合に、従来の位置決め用ＲＯＩの操作のみでは位置決め用ＲＯＩを正確に設定することが困難であった。
【０００６】
本発明は、上述した事情を考慮してなされたもので、同一患者の同一被検体を異なる時間に撮像して被検体の経過観察を行なうために過去の撮像と同一の撮像条件で撮像を行なう際、診断に最適な画像を提供することができる磁気共鳴イメージング装置を提供することを目的とする。
【課題を解決するための手段】
【０００７】
本発明に係る磁気共鳴イメージング装置は、上述した課題を解決するために、過去の本スキャンによって生成された撮像画像としての過去画像を取得する過去画像取得部と、前記過去の本スキャンにおける撮像条件を取得する撮像条件取得部と、前記過去画像の対象の被検体に対してスキャンを実行して、位置決めのための位置決め親画像を生成する位置決め親画像生成部と、前記位置決め親画像を基に、子画像用の関心領域を設定する子画像用関心領域設定部と、前記被検体に対して、前記撮像条件及び前記子画像用関心領域に従ってスキャンを実行して、撮像画像としての子画像を生成する子画像生成部と、前記過去画像及び前記子画像の同一画面上への表示を制御する表示制御部と、前記表示制御部によって表示される前記子画像の移動内容の入力を制御する入力制御部と、前記入力制御部によって入力される前記移動内容による移動後の子画像用関心領域を本画像用関心領域として設定する本画像用関心領域設定部と、前記被検体に対して、前記撮像条件及び前記本画像用関心領域に従って本スキャンを実行して、本画像を生成する本画像生成部と、を有する。
【発明の効果】
【０００８】
本発明に係る磁気共鳴イメージング装置によると、同一患者の同一被検体を異なる時間に撮像して被検体の経過観察を行なうために過去の撮像と同一の撮像条件で撮像を行なう際、診断に最適な画像を提供することができる。
【発明を実施するための最良の形態】
【０００９】
本発明に係る磁気共鳴イメージング（ＭＲＩ：ｍａｇｎｅｔｉｃ  ｒｅｓｏｎａｎｃｅ  ｉｍａｇｉｎｇ）装置の実施形態について、添付図面を参照して説明する。
【００１０】
図１は、本発明に係るＭＲＩ装置の実施形態の構成を示す概略図である。
【００１１】
図１は、本実施形態のＭＲＩ装置１０を示す。このＭＲＩ装置１０は、大きくは、撮像系１１と制御系１２とから構成される。
【００１２】
ＭＲＩ装置１０の撮像系１１には、架台（図示しない）が備えられ、その架台内に、静磁場磁石２１と、この静磁場磁石２１の内部であって静磁場磁石２１と同軸上に筒状のシムコイル２２と、静磁場磁石２１の内部で筒状に形成される傾斜磁場コイルユニット２３とを収容する。また、撮像系１１には、ラーモア周波数（共鳴周波数）の高周波（ＲＦ：ｒａｄｉｏ  ｆｒｅｑｕｅｎｃｙ）信号を送信するＲＦコイル２４と、患者Ｐを架台内に進退させる寝台機構２５とが設けられる。
【００１３】
一方、ＭＲＩ装置１０の制御系１２には、静磁場電源３１、傾斜磁場電源３３、シムコイル電源３２、送信器３４、受信器３５、シーケンスコントローラ（シーケンサ）３６及びコンピュータ３７が設けられる。
【００１４】
静磁場磁石２１は静磁場電源３１と接続される。静磁場電源３１から供給された電流によって撮像領域（ＦＯＶ：ｆｉｅｌｄ  ｏｆ  ｖｉｅｗ）に静磁場を形成させる。
【００１５】
シムコイル２２はシムコイル電源３２と接続され、シムコイル電源３２からシムコイル２２に電流を供給して、静磁場を均一化する。
【００１６】
傾斜磁場コイルユニット２３は、Ｘ軸傾斜磁場コイル２３ｘ、Ｙ軸傾斜磁場コイル２３ｙ及びＺ軸傾斜磁場コイル２３ｚで構成される。また、傾斜磁場コイルユニット２３の内側には寝台機構２５の天板２６が設けられ、その天板２６には患者Ｐが載置される。天板２６は、寝台機構２５によって移動させられる。
【００１７】
また、傾斜磁場コイルユニット２３は、傾斜磁場電源３３と接続される。傾斜磁場コイルユニット２３のＸ軸傾斜磁場コイル２３ｘ、Ｙ軸傾斜磁場コイル２３ｙ及びＺ軸傾斜磁場コイル２３ｚはそれぞれ、傾斜磁場電源３３のＸ軸傾斜磁場電源３３ｘ、Ｙ軸傾斜磁場電源３３ｙ及びＺ軸傾斜磁場電源３３ｚとそれぞれ接続される。
【００１８】
そして、Ｘ軸傾斜磁場電源３３ｘ、Ｙ軸傾斜磁場電源３３ｙ及びＺ軸傾斜磁場電源３３ｚからそれぞれＸ軸傾斜磁場コイル２３ｘ、Ｙ軸傾斜磁場コイル２３ｙ及びＺ軸傾斜磁場コイル２３ｚに供給された電流により、撮像領域にそれぞれＸ軸方向の傾斜磁場Ｇｘ、Ｙ軸方向の傾斜磁場Ｇｙ、Ｚ軸方向の傾斜磁場Ｇｚを形成する。
【００１９】
ＲＦコイル２４はマルチコイルで構成され、送信器３４及び受信器３５と接続される。ＲＦコイル２４は、送信器３４から高周波信号を受けて被検体としての患者Ｐの撮像部位に高周波磁場パルスを送信する機能と、撮像部位内部の原子核スピンの高周波信号による励起に伴って発生したＮＭＲ信号を受信して受信器３５に与える機能を有する。ＲＦコイル２４の送受方式としては、送信コイルと受信コイルとを１つのコイルで兼用する方式と、送信コイルと受信コイルに別々のコイルを用いる方式に分けられる。なお、ＭＲＩ装置１０にはＲＦコイル２４を設けるが、図１では、ＲＦコイル２４の一例としての頭部用コイルのみを例示している。
【００２０】
一方、制御系１２のシーケンスコントローラ３６は、寝台機構２５、傾斜磁場電源３３、送信器３４及び受信器３５と接続される。シーケンスコントローラ３６は、図示しないプロセッサ、例えばＣＰＵ（ｃｅｎｔｒａｌ  ｐｒｏｃｅｓｓｉｎｇ  ｕｎｉｔ）及びメモリを備えており、寝台機構２５、傾斜磁場電源３３、送信器３４及び受信器３５を駆動させるために必要な制御情報、例えば傾斜磁場電源３３に印加すべきパルス電流の強度や印加時間、印加タイミング等の動作制御情報を記述したシーケンス情報を記憶する。
【００２１】
また、シーケンスコントローラ３６は、記憶した所定のシーケンスに従って寝台機構２５を駆動させることによって、天板２６を架台に対してＺ軸方向に進退させる。さらに、シーケンスコントローラ３６は、記憶した所定のシーケンスに従って傾斜磁場電源３３、送信器３４及び受信器３５を駆動させることによって、架台内にＸ軸傾斜磁場Ｇｘ、Ｙ軸傾斜磁場Ｇｙ，Ｚ軸傾斜磁場Ｇｚ及びＲＦ信号を発生させる。
【００２２】
送信器３４は、シーケンスコントローラ３６から受けた制御情報に基づいてＲＦ信号をＲＦコイル２４に与える。一方、受信器３０は、ＲＦコイル２４から受けたＮＭＲ信号に所要の信号処理を実行すると共にＡ／Ｄ（ａｎａｌｏｇ  ｔｏ  ｄｉｇｉｔａｌ）変換することにより、受信器３５からデジタル化されたＮＭＲ信号である生データ（ｒａｗ  ｄａｔａ）を生成する。また、生成した生データをシーケンスコントローラ３６に与える。シーケンスコントローラ３６は、受信器３５からの生データを受けてコンピュータ３７に与える。
【００２３】
コンピュータ３７は、プロセッサとしてのＣＰＵ５１、メモリ５２、ＨＤ（ｈａｒｄ  ｄｉｓｋ）５３、ＩＦ（ｉｎｔｅｒｆａｃｅ）５４、入力装置５５及び表示装置５６等、コンピュータとしての基本的なハードウェアから構成される。ＣＰＵ５１は、共通信号伝送路としてのバスＢを介して、コンピュータ３７を構成する各ハードウェア構成要素５２，５３，５４，５５及び５６に相互接続されている。また、コンピュータ３７は、ＩＦ５４を介して病院基幹のＬＡＮ（ｌｏｃａｌ  ａｒｅａ  ｎｅｔｗｏｒｋ）等のネットワークＮに相互通信可能に接続されることで、ネットワークＮ上の図示しない画像管理装置（サーバ）から後述する過去の画像を取得することができる。
【００２４】
なお、コンピュータ３７には、各種アプリケーションプログラムやデータを記憶したメディアから各種アプリケーションプログラムやデータを読み込むドライブを具備する場合もある。
【００２５】
ＣＰＵ５１は、メモリ５２に記憶しているプログラムを実行する。又は、ＣＰＵ５１は、ＨＤ５３に記憶しているプログラム、ネットワークＮから転送されＩＦ５４で受信されてＨＤ５３にインストールされたプログラムを、メモリ５２にロードして実行する。
【００２６】
メモリ５２は、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等の要素を兼ね備え、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及び画像を記憶したり、ＣＰＵ５１のワークメモリやデータの一時的な記憶に用いたりする記憶装置である。
【００２７】
ＨＤ５３は、磁性体を塗布又は蒸着した金属のディスクによって構成され、読み取り装置（図示しない）に着脱不能で内蔵されている。ＨＤ５３は、コンピュータ３７にインストールされたプログラム（アプリケーションプログラムの他、ＯＳ（ｏｐｅｒａｔｉｎｇ  ｓｙｓｔｅｍ）等も含まれる）や画像を記憶する記憶装置である。また、ＯＳに、ユーザに対する情報の表示にグラフィックを多用し、基礎的な操作を入力装置５５によって行なうことができるＧＵＩ（ｇｒａｐｈｉｃａｌ  ｕｓｅｒ  ｉｎｔｅｒｆａｃｅ）を提供させることもできる。
【００２８】
ＩＦ５４は、各規格に応じた通信制御を行なう通信制御装置である。ＩＦ５４により、コンピュータ３７は、ネットワークＮ網に接続することができる。
【００２９】
入力装置５５としては、技師等のオペレータによって操作が可能なキーボード、マウス及びジョイスティック等が挙げられ、操作に従った入力信号がＣＰＵ５１に送られる。
【００３０】
表示装置５６は、画像合成回路、Ｄ／Ａ変換回路及びモニタ等を含み、モニタを介してＭＲＩ画像を表示する。
【００３１】
図２は、本実施形態のＭＲＩ装置１０の機能を示すブロック図である。
【００３２】
図１に示すＣＰＵ５１がプログラムを実行することによって、図２に示すように、ＭＲＩ装置１０は、過去画像取得部６１、撮像条件取得部６２、位置決め親画像生成部６３、位置決め子画像用ＲＯＩ（ｒｅｇｉｏｎ  ｏｆ  ｉｎｔｅｒｅｓｔ）設定部６４、表示制御部６５、入力制御部６６、画像選択部６７、位置決め子画像生成部６８、本画像用ＲＯＩ設定部６９、本画像生成部７０及び親画像生成部７１として機能する。なお、画像選択部６７及び親画像生成部７１は、ＭＲＩ装置１０に必須の構成要素ではない。また、ＭＲＩ装置１０の構成要素６１乃至７１をソフトウェア的に機能させる場合を説明するが、その場合に限定されるものではない。ＭＲＩ装置１０の構成要素６１乃至７１の全部又は一部をハードウェア的にＭＲＩ装置１０に設ける場合であってもよい。
【００３３】
過去画像取得部６１は、過去の本スキャンによって生成された過去画像（子画像）を取得する機能を有する。例えば、医師及び技師等のオペレータが入力装置５５を用いて所望の患者Ｐの氏名及び患者ＩＤ（ｉｄｅｎｔｉｆｉｃａｔｉｏｎ）等の個人情報と、所望の撮像部位とを入力することで、その入力に従ってネットワークＮ上のサーバやＨＤ５３等の記憶装置から、所望の患者Ｐの所望の撮像部位に対して過去の本スキャンによって生成された過去画像（例えば、アキシャル像）を取得する機能を有する。図３は、過去画像取得部６１によって取得される過去画像の一例を示している。
【００３４】
図２に示す撮像条件取得部６２は、過去の本スキャンにおける撮像条件（スキャンプラン）を取得する機能を有する。撮像条件としては、例えば、パルスシーケンス、高速化率（パラレルイメージングの倍率）、ＲＯＩを介して設定されるＦＯＶ及び画像の枚数情報等が挙げられる。また、パルスシーケンスとしては、３次元スキャン又は２次元スキャンのシーケンスが使われる。そのパルス列の形態としては、ＳＥ（スピンエコー）法、ＦＳＥ（高速ＳＥ）法、ＦＡＳＥ（高速Ａｓｙｍｍｅｔｒｉｃ  ＳＥ）法（すなわち、高速ＳＥ法にハーフフーリエ法を組み合わせたイメージング法）、ＥＰＩ（エコープラナーイメージング）法、ＦＥ（グラジェントエコー）法、ＦＦＥ（高速ＦＥ）法及びセグメンティドＦＦＥ法等が挙げられる。
【００３５】
位置決め親画像生成部６３は、天板２６に患者Ｐを載置し、シーケンスコントローラ３６を制御して、過去画像の対象の撮像部位と同一撮像部位に対して位置決めスキャンを実行して位置決めのための位置決め親画像を生成する機能を有する。位置決め親画像生成部６３は、例えば、撮像時間の短い２次元の位置決めスキャン（Ｅｎｃｏｄｅ−ｐｒｅｐスキャン）を実行する。
【００３６】
位置決め子画像用ＲＯＩ設定部６４は、位置決め親画像生成部６３によって生成される位置決め親画像を基に位置決め子画像用のＲＯＩを設定する機能を有する。
【００３７】
表示制御部６５及び入力制御部６６は、位置決め子画像用ＲＯＩ設定部６４による位置決め子画像用ＲＯＩの設定がインタラクティブに設定可能であることが好適である。位置決め子画像用ＲＯＩ設定部６４は、位置決め親画像生成部６３によって生成され表示制御部６５を介して表示される位置決め親画像上で、撮像部位に対する位置決め子画像用ＲＯＩを設定可能な構成とする。
【００３８】
図４は、位置決め子画像用ＲＯＩの設定方法を説明するための図である。
【００３９】
図４に示すように、予め設定してある撮像部位に臨床的に合致した指定断面、例えば撮像部位が頭部である場合はサジタル像が位置決め親画像として表示される。そして、表示された位置決め親画像を見ながらオペレータが入力制御部６６を介して画面上に位置決め子画像用ＲＯＩを入力することにより撮影計画を立て、位置決め子画像用ＲＯＩを入力する（サジタル像の場合には、エンコード方向の画像中心位置と範囲に関するデータ及びリード方向の画像中心位置と範囲に関するデータ）。
【００４０】
図２に示す画像選択部６７は、過去画像取得部６１が撮像部位に係る複数スライスの複数の過去画像を取得し、位置決め子画像用ＲＯＩ設定部６４が撮像部位に関する複数スライスの複数の位置決め子画像用ＲＯＩを設定する場合、過去画像取得部６１によって取得される複数の過去画像から１つの過去画像を選択すると共に、位置決め子画像用ＲＯＩ設定部６４によって設定される複数の位置決め子画像用ＲＯＩから１つの位置決め子画像用ＲＯＩを選択する機能を有する。画像選択部６７は、例えば撮像条件に含まれる枚数情報を基に、同一序列の過去画像及び位置決め子画像用ＲＯＩを選択する構成とする。
【００４１】
位置決め子画像生成部６８は、天板２６に患者Ｐを載置したままの状態で、シーケンスコントローラ３６を制御して、過去画像の対象の撮像部位と同一撮像部位に対して撮像条件及び位置決め子画像用ＲＯＩに従って位置決めスキャンを実行して、位置決めのための位置決め子画像を生成する機能を有する。又は、位置決め子画像生成部６８は、シーケンスコントローラ３６を制御して、過去画像の対象の撮像部位と同一撮像部位に対して撮像条件と画像選択部６７によって選択される位置決め子画像用ＲＯＩとに従って位置決めスキャンを実行して、位置決めのための位置決め子画像を生成する機能を有する。図５は、位置決め子画像生成部６８によって生成される位置決め子画像（アキシャル像）の一例を示している。
【００４２】
図２に示す本画像用ＲＯＩ設定部６９は、位置決め子画像生成部６８によって生成される位置決め子画像を基に、本画像用のＲＯＩを設定する機能を有する。
【００４３】
表示制御部６５及び入力制御部６６は、本画像用ＲＯＩ設定部６９による本画像用ＲＯＩの設定がインタラクティブに設定可能であることが好適である。本画像用ＲＯＩ設定部６９は、本画像用ＲＯＩ設定部６９によって生成され表示制御部６５を介して表示される位置決め子画像上で、本画像用ＲＯＩを設定可能な構成とする。
【００４４】
表示制御部６５は、過去画像取得部６１によって取得される過去画像と、位置決め子画像生成部６８によって生成される位置決め子画像の同一画面上への表示を制御する機能を有する。又は、表示制御部６５は、過去画像取得部６１によって取得される過去画像と、画像選択部６７によって選択される位置決め子画像用ＲＯＩの画像の同一画面上への表示を制御する機能を有する。
【００４５】
表示制御部６５は、例えば、位置決め子画像生成部６８によって生成される位置決め子画像のデータを付帯するプレーンの手前面に、過去画像取得部６１によって取得された過去画像のデータを付帯しピクセルの透明度（アルファ値）の変更処理が施されるプレーンを重ねることで、過去画像及び位置決め子画像の同一画面上への表示を制御する構成とする。また、表示制御部６５は、過去画像を位置決め子画像用ＲＯＩに埋め込んで表示することが好適である。図６は、表示制御部６５によって表示される過去画像及び位置決め子画像の一例を示している。なお、過去画像（過去画像のデータを付帯するプレーン）の表示／非表示を選択可能な構成とすることができる。
【００４６】
図２に示す入力制御部６６は、表示制御部６５によってモニタに表示される位置決め子画像の移動内容の入力を制御する機能を有する。入力制御部６６は、移動内容を、位置決め子画像のスライド移動及び回転移動のうち少なくとも一方とする構成とする。入力制御部６６によって位置決め子画像の移動内容が入力されると、表示制御部６５は、過去画像取得部６１によって取得される過去画像と、入力制御部６６による移動内容入力後の位置決め子画像との同一画面上への表示を制御する。図７は、移動内容入力後の位置決め画像が過去画像とほぼ一致する場合の移動内容入力後の位置決め画像用ＲＯＩの一例を示している。
【００４７】
図２に示す本画像用ＲＯＩ設定部６９は、入力制御部６６による移動内容入力後の位置決め画像が過去画像とほぼ一致する場合の移動内容入力後の位置決め子画像用ＲＯＩを、本画像用ＲＯＩとして設定する機能を有する。図８は、本画像用ＲＯＩの一例を示している。
【００４８】
図２に示す本画像生成部７０は、天板２６に患者Ｐを載置したままの状態で、シーケンスコントローラ３６を制御して、過去画像の対象の撮像部位と同一撮像部位に対して、撮像条件取得部６２によって取得される撮像条件と本画像用ＲＯＩ設定部６９によって設定される本画像用ＲＯＩとに従って本スキャンを実行して、本画像を生成する機能を有する。また、天板２６に患者Ｐを載置したままの状態（同一検査内）で本画像用ＲＯＩを設定したパルスシーケンスの他のパルスシーケンス（シリーズ）による撮像を行なう場合も、本画像生成部７０は、本画像用ＲＯＩ設定部６９によって設定される本画像用ＲＯＩを他のパルスシーケンスに適用することで本画像を生成する構成とする。
【００４９】
親画像生成部７１は、位置決め子画像用ＲＯＩ設定部６４によって設定される位置決め子画像用ＲＯＩと、入力制御部６６によって入力される移動内容とを基に、本画像生成部７０によって生成される本画像に対応する親画像を生成する機能を有する。親画像は、ＨＤ５３等の記憶装置に記憶される。図９は、親画像生成部７１によって生成される親画像の一例を示している。
【００５０】
ＭＲＩ装置１０に親画像生成部７１を有する場合、同一患者の同一被検体を異なる時間に撮像して被検体の経過観察を行なうために過去の撮像と同一の撮像条件で撮像を行なう際、本画像生成部７０によって生成される本画像と共にその本画像に対応する親画像を提供できるので、オペレータは、本画像のＲＯＩの位置を視認することができる。
【００５１】
なお、過去画像取得部６１によって取得される複数の過去画像を基に直交３断面（サジタル面、アキシャル面及びコロナル面）の過去画像を取得し、位置決め子画像生成部６８によって同じく直交３断面の位置決め子画像を生成し、対応する断面毎に重ねて表示される直交３断面過去画像及び位置決め子画像を用いて本撮影ＲＯＩを設定する構成とすることで、本画像用ＲＯＩ設定部６９は、さらに正確な本画像ＲＯＩを設定することができる。
【００５２】
本実施形態のＭＲＩ装置１０によると、同一患者の同一被検体を異なる時間に撮像して被検体の経過観察を行なうために過去の撮像と同一の撮像条件で撮像を行なう際、過去画像を利用して視覚的な方法で本画像のＲＯＩを設定することで、過去画像とほぼ一致する位置・回転位置の本画像を生成することができる。よって、本実施形態のＭＲＩ装置１０によると、同一患者の同一被検体を異なる時間に撮像して被検体の経過観察を行なうために過去の撮像と同一の撮像条件で撮像を行なう際、診断に最適な画像を提供することができる。
【図面の簡単な説明】
【００５３】
【図１】本発明に係るＭＲＩ装置の実施形態の構成を示す概略図。
【図２】本実施形態のＭＲＩ装置の機能を示すブロック図。
【図３】過去画像（アキシャル像）の一例を示す図。
【図４】位置決め子画像用ＲＯＩの設定方法を説明するための図。
【図５】位置決め子画像（アキシャル像）の一例を示す図。
【図６】表示される過去画像及び位置決め子画像の一例を示す図。
【図７】移動内容入力後の位置決め画像が過去画像とほぼ一致する場合の移動内容入力後の位置決め画像用ＲＯＩの一例を示す図。
【図８】本画像用ＲＯＩの一例を示す図。
【図９】子画像に対応する親画像の一例を示す図。
【符号の説明】
【００５４】
１０  ＭＲＩ装置
５１  ＣＰＵ
５２  メモリ
５５  入力装置
５６  表示装置
６１  過去画像取得部
６２  撮像条件取得部
６３  位置決め親画像生成部
６４  位置決め子画像用ＲＯＩ設定部
６５  表示制御部
６６  入力制御部
６７  画像選択部
６８  位置決め子画像生成部
６９  本画像用ＲＯＩ設定部
７０  本画像生成部
７１  親画像生成部
【図１】
0005283866.tif 000002
【図２】
0005283866.tif 000003
【図３】
0005283866.tif 000004
【図４】
0005283866.tif 000005
【図５】
0005283866.tif 000006
【図６】
0005283866.tif 000007
【図７】
0005283866.tif 000008
【図８】
0005283866.tif 000009
【図９】
0005283866.tif 000010